(57)【要約】【課題】所定の土地に電柱が施設された状態のイメージと所定の土地に電柱が施設された状態の現実との食い違いが生じる頻度を少なくすることができる電柱施設用器具を提供すること。【解決手段】電柱施設用器具（１）は、複数種類の電柱（９Ａ、９Ｂ、９Ｃ、９Ｄ）に対応する複数のダミー電柱（２Ａ、２Ｂ、２Ｃ、２Ｄ）を備える。複数のダミー電柱（２Ａ、２Ｂ、２Ｃ、２Ｄ）の各々は、複数種類の電柱（９Ａ、９Ｂ、９Ｃ、９Ｄ）の各々が有する露出部（９２ａ、９２ｂ、９２ｃ、９２ｄ）の外径寸法と同一の外径寸法を有する。【選択図】図１
2008042978.tif 000002
【特許請求の範囲】
【請求項１】
地中に埋設される埋設部と該埋設部に隣接し地上に露出される露出部とを有する外径寸法の異なる複数種類の電柱のうち一又は複数の種類の電柱を所定の土地に施設するための説明に用いられる電柱施設用器具であって、
前記複数種類の電柱に対応する複数のダミー電柱を備え、
前記複数のダミー電柱の各々は、前記複数種類の電柱の各々が有する露出部の外径寸法と同一の外径寸法を有することを特徴とする電柱施設用器具。
【請求項２】
請求項１記載の電柱施設用器具において、
前記複数のダミー電柱の各々は、該複数のダミー電柱の各々より外径寸法が小さいダミー電柱を収納可能に構成された収納部を有することを特徴とする電柱施設用器具。
【請求項３】
請求項１又は２記載の電柱施設用器具において、
前記複数のダミー電柱の各々は、該複数のダミー電柱の各々の軸方向に対して垂直に形成された底面を有する下部を含み、
前記複数のダミー電柱の各々は、前記底面から所定の距離だけ離れた位置に設けられた上部を含み、
前記上部は、前記複数のダミー電柱の各々より外径寸法が小さいダミー電柱を前記軸方向に沿って配置可能に構成された配置部を有することを特徴とする電柱施設用器具。
【請求項４】
請求項３記載の電柱施設用器具において、
前記複数のダミー電柱を乗せるための平坦な台座面を有する台座部と、これに隣接しかつ前記台座面に前記底面が接して乗せられるダミー電柱の軸方向に突出した突出部とが設けられたダミー電柱台を備え、
前記突出部は、前記台座面に前記底面が接して乗せられるダミー電柱に接しかつ前記台座面に対して垂直な接触面を有することを特徴とする電柱施設用器具。
【請求項５】
請求項４記載の電柱施設用器具において、
前記ダミー電柱台は、前記台座部を支持しかつ地上と接する複数の脚部を備え、
前記複数の脚部の各々は、前記台座面が水平に位置するように地上と前記ダミー電柱台との間の距離を変更可能に構成された変更部を有することを特徴とする電柱施設用器具。
【請求項６】
請求項３から５のいずれか記載の電柱施設用器具において、
前記複数のダミー電柱の各々は、該複数のダミー電柱の各々の表面に、前記底面の中心を通る直線が前記底面の円縁と交わる点を示す少なくとも一対の表示部を有することを特徴とする電柱施設用器具。
【請求項７】
地中に埋設される埋設部と該埋設部に隣接し地上に露出される露出部とを有する外径寸法の異なる複数種類の電柱のうち一又は複数の種類の電柱を所定の土地に施設するための説明に用いられる電柱施設用器具であって、
弾性体材料で筒状に形成された板状部材であって、該板状部材の円周方向における一端部側と他端部側とが互いに重なる前記一端部側の重複部及び前記他端部側の重複部と、前記板状部材の表面において前記複数種類の電柱の各々が有する露出部の円周と同一長さを前記他端部側の側辺から示す複数の位置に少なくとも２つの点を有する複数の表示部と、を有する板状部材を備え、
前記一端部側の重複部の表面は、前記板状部材の表面のうち、前記板状部材の円周方向の平行な２つの側辺と前記一端部側の側辺と前記複数の表示部の各々が有する少なくとも２つの点を通る直線とで囲まれて形成された部分を有し、
前記板状部材は、前記一端部側の重複部及び前記他端部側の重複部を重ねて前記複数種類の電柱の各々が有する露出部の外径寸法の何れかと同一の外径寸法を有する筒が形成されるように、前記複数の表示部の各々が有する少なくとも２つの点に沿って前記他端部側の側辺を前記板状部材の表面に固定する複数の固定部を有することを特徴とする電柱施設用器具。
【発明の詳細な説明】
【技術分野】
【０００１】
本発明は、複数種類の電柱のうち一又は複数の種類の電柱を所定の土地に施設するための説明に用いられる電柱施設用器具に関する。
【背景技術】
【０００２】
従来、図１５に示すように、電力会社等により施設される電柱には、複数種類の電柱、例えば、電柱９Ａ、電柱９Ｂ、電柱９Ｃ、及び電柱９Ｄがある。電柱９Ａ、電柱９Ｂ、電柱９Ｃ、及び電柱９Ｄの各々は、外径寸法が異なる。電柱９Ａは、地中に埋設される埋設部９１ａと該埋設部９１ａに隣接し地上Ｇに露出される露出部９２ａとを有する。同様に、電柱９Ｂは、埋設部９１ｂと露出部９２ｂとを有する。電柱９Ｃは、埋設部９１ｃと露出部９２ｃとを有する。電柱９Ｄは、埋設部９１ｄと露出部９２ｄとを有する。
【０００３】
電力会社等が所定の土地ｇに、上述した何れかの電柱の施設を所望する場合の交渉では、電力会社等側の交渉を担当するいわゆる交渉人Ｘは、その所定の土地ｇを有するいわゆる地権者Ｙにその電柱の寸法・材質等を口頭で説明する。この説明のときにその電柱と同一種類の電柱が近くにある場合は、電力会社等は、同じように電柱が施設される旨を口頭で説明している。そして、交渉人Ｘと地権者Ｙとの交渉が成立すると、その電柱の施設が行われる。
【０００４】
近時、上記説明において、複数種類の電柱に対応する地際面積に合致した円図形が描かれた電柱地際標示板９９が用いられている（特許文献１参照）。この電柱地際標示板９９によれば、複数種類の電柱の地際面積を実測どおりに視認できるようになる。
【特許文献１】特開平７−２４３２０７号公報
【発明の開示】
【発明が解決しようとする課題】
【０００５】
しかしながら、地権者Ｙは、上記電柱地際標示板９９に描かれた円図形から一又は複数種類の電柱の地際面積を実測どおりに視認したとしても、所定の土地ｇに電柱が施設された状態をイメージすることが困難であった。この結果、実際に所定の土地ｇに電柱が施設された後に、地権者Ｙは、自分が思っていた様子と違うと感じることがある。
【０００６】
本発明は、このような問題点を解決するためになされるものであり、所定の土地に電柱が施設された状態のイメージと所定の土地に電柱が施設された状態の現実との食い違いが生じる頻度を少なくすることができる電柱施設用器具を提供することを目的とする。
【課題を解決するための手段】
【０００７】
本発明は、具体的には以下のようなものを提供する。
【０００８】
（１）  地中に埋設される埋設部と該埋設部に隣接し地上に露出される露出部とを有する外径寸法の異なる複数種類の電柱のうち一又は複数の種類の電柱を所定の土地に施設するための説明に用いられる電柱施設用器具であって、前記複数種類の電柱に対応する複数のダミー電柱を備え、前記複数のダミー電柱の各々は、前記複数種類の電柱の各々が有する露出部の外径寸法と同一の外径寸法を有することを特徴とする電柱施設用器具。
【０００９】
（１）に記載の発明によれば、施設しようとする電柱の露出部の外径寸法と一致するダミー電柱が所定の土地に配置されることにより、施設しようとする電柱が所定の土地に施設された状態を所定の土地の地権者がイメージし易くなる。したがって、電柱施設用器具によれば、所定の土地に電柱が施設された状態のイメージと所定の土地に電柱が施設された状態の現実との食い違いが生じる頻度を少なくすることができる。
【００１０】
（２）  （１）記載の電柱施設用器具において、前記複数のダミー電柱の各々は、該複数のダミー電柱の各々より外径寸法が小さいダミー電柱を収納可能に構成された収納部を有することを特徴とする電柱施設用器具。
【００１１】
（２）に記載の発明によれば、外径寸法の大きいダミー電柱に外径寸法の小さいダミー電柱が収納される。即ち、複数のダミー電柱のうち最も大きい外径寸法を有するダミー電柱に、この最も大きい外径寸法を有するダミー電柱を除く全てのダミー電柱が収納されることになる。例えば、電力会社等は、複数のダミー電柱を１つにまとめることができるので、複数のダミー電柱を手軽に持ち運ぶことができる。また、電力会社等は、複数のダミー電柱を１つにまとめることができるので、複数のダミー電柱をまとめない場合と比べてより小さいスペースでこれらを保管することができる。
【００１２】
（３）  （１）又は（２）記載の電柱施設用器具において、前記複数のダミー電柱の各々は、該複数のダミー電柱の各々の軸方向に対して垂直に形成された底面を有する下部を含むことを特徴とする電柱施設用器具。また、（３）記載の電柱施設用器具において、前記複数のダミー電柱の各々は、前記底面から所定の距離だけ離れた位置に設けられた上部を含み、前記上部は、前記複数のダミー電柱の各々より外径寸法が小さいダミー電柱を前記軸方向に沿って配置可能に構成された配置部を有することを特徴とする電柱施設用器具。
【００１３】
（３）に記載の発明によれば、平坦な所定の土地では、複数のダミー電柱をこの平坦な所定の土地に対して垂直に立てることができる。したがって、平坦な所定の土地の地権者は、この平坦な所定の土地に対して電柱が垂直に立った状態を容易にイメージすることができる。更に、外径寸法の大きいダミー電柱の上部にこれより外径寸法の小さいダミー電柱が配置される。例えば、電柱の高さ寸法と同等の高さになるようにダミー電柱を配置することができる。これにより、所定の土地の地権者は、所定の土地に施設しようとする電柱に近いものを視認することになるので、所定の土地に電柱が施設された状態を更に容易にイメージすることができる。
【００１４】
（４）  （３）記載の電柱施設用器具において、前記複数のダミー電柱を乗せるための平坦な台座面を有する台座部と、これに隣接しかつ前記台座面に前記底面が接して乗せられるダミー電柱の軸方向に突出した突出部とが設けられたダミー電柱台を備え、前記突出部は、前記台座面に前記底面が接して乗せられるダミー電柱に接しかつ前記台座面に対して垂直な接触面を有することを特徴とする電柱施設用器具。
【００１５】
（４）に記載の発明によれば、所定の土地と隣接する他の土地との境界に接触面が合致するようにダミー電柱台を配置することで、ダミー電柱台が有する台座面に接触面と接して乗せられるダミー電柱を境界の際に配置することができる。したがって、所定の土地と他の土地との境界に沿って電柱の施設を所望する所定の土地の地権者にとってみれば、境界に沿って所定の土地に電柱が施設された状態を正確にイメージすることができる。
【００１６】
（５）  （４）記載の電柱施設用器具において、前記ダミー電柱台は、前記台座部を支持しかつ地上と接する複数の脚部を備え、前記複数の脚部の各々は、前記台座面が水平に位置するように地上と前記ダミー電柱台との間の距離を変更可能に構成された変更部を有することを特徴とする電柱施設用器具。
【００１７】
（５）に記載の発明によれば、台座部は、複数の脚部により台座面が水平になるように支持される。例えば、ダミー電柱台は、所定の土地に凸凹がある場合でも、台座面を水平に保つことができる。即ち、ダミー電柱台を用いることで、所定の土地を平坦にする作業を行うことなく、所定の土地に対してダミー電柱を垂直に立てることができるので、凸凹がある所定の土地の地権者であっても、所定の土地に電柱が施設された状態をイメージすることができる。
【００１８】
（６）  （３）から（５）のいずれか記載の電柱施設用器具において、前記複数のダミー電柱の各々は、該複数のダミー電柱の各々の表面に、前記底面の中心を通る直線が前記底面の円縁と交わる点を示す少なくとも一対の表示部を有することを特徴とする電柱施設用器具。
【００１９】
（６）に記載の発明によれば、所定の土地と隣接する他の土地との境界に表示部が合致するようにダミー電柱を配置することで、ダミー電柱により占められる所定の土地の大きさとダミー電柱により占められる他の土地の大きさとを等しくすることができる。
【００２０】
ここで、別の態様として、（１）から（６）のいずれか記載の電柱施設用器具において、前記複数のダミー電柱の各々の表面は、前記複数種類の電柱の各々の表面と同じ色調に着色されていることを特徴とする電柱施設用器具を採用してもよい。この態様によれば、複数のダミー電柱の各々の表面が複数種類の電柱の各々の表面と同じ色調に着色されているので、複数のダミー電柱は、更に電柱に似たものとなる。したがって、所定の土地の地権者は、施設しようとする電柱が所定の土地に施設された状態を更に容易にイメージすることができる。
【００２１】
（７）  地中に埋設される埋設部と該埋設部に隣接し地上に露出される露出部とを有する外径寸法の異なる複数種類の電柱のうち一又は複数の種類の電柱を所定の土地に施設するための説明に用いられる電柱施設用器具であって、弾性体材料で筒状に形成された板状部材であって、該板状部材の円周方向における一端部側と他端部側とが互いに重なる前記一端部側の重複部及び前記他端部側の重複部と、前記板状部材の表面において前記複数種類の電柱の各々が有する露出部の円周と同一長さを前記他端部側の側辺から示す複数の位置に少なくとも２つの点を有する複数の表示部と、を有する板状部材を備え、前記一端部側の重複部の表面は、前記板状部材の表面のうち、前記板状部材の円周方向の平行な２つの側辺と前記一端部側の側辺と前記複数の表示部の各々が有する少なくとも２つの点を通る直線とで囲まれて形成された部分を有し、前記板状部材は、前記一端部側の重複部及び前記他端部側の重複部を重ねて前記複数種類の電柱の各々が有する露出部の外径寸法の何れかと同一の外径寸法を有する筒が形成されるように、前記複数の表示部の各々が有する少なくとも２つの点に沿って前記他端部側の側辺を前記板状部材の表面に固定する複数の固定部を有することを特徴とする電柱施設用器具。
【００２２】
（７）に記載の発明によれば、施設しようとする電柱の露出部の外径寸法と一致するように板状部材が筒状に形成されて所定の土地に配置されることにより、所定の土地の地権者は、その電柱が所定の土地に施設された状態をイメージし易くなる。したがって、電柱施設用器具によれば、所定の土地に電柱が施設された状態のイメージと所定の土地に電柱が施設された状態の現実との食い違いが生じる頻度を少なくすることができる。
【発明の効果】
【００２３】
本発明によれば、施設しようとする電柱の露出部の外径寸法と一致するダミー電柱が所定の土地に配置されることにより、施設しようとする電柱が所定の土地に施設された状態を所定の土地の地権者がイメージし易くなる。したがって、電柱施設用器具によれば、所定の土地に電柱が施設された状態のイメージと所定の土地に電柱が施設された状態の現実との食い違いが生じる頻度を少なくすることができる。
【発明を実施するための最良の形態】
【００２４】
以下、本発明の実施形態について、図面を参照しながら説明する。
【００２５】
＜第１の実施形態＞
図１は、電柱施設用器具１を示す斜視図である。
【００２６】
電柱施設用器具１は、複数のダミー電柱を備える。具体的には、電柱施設用器具１は、ダミー電柱２Ａ、ダミー電柱２Ｂ、ダミー電柱２Ｃ、及びダミー電柱２Ｄを備える。ダミー電柱２Ａ、ダミー電柱２Ｂ、ダミー電柱２Ｃ、及びダミー電柱２Ｄの各々は、外径寸法の異なる複数種類の電柱に対応する。具体的には、ダミー電柱２Ａは、電柱９Ａに対応する。ダミー電柱２Ｂは、電柱９Ｂに対応する。ダミー電柱２Ｃは、電柱９Ｃに対応する。ダミー電柱２Ｄは、電柱９Ｄに対応する。ダミー電柱２Ａ、ダミー電柱２Ｂ、ダミー電柱２Ｃ、及びダミー電柱２Ｄは、図１に示すものに限られるものではなく、複数種類の電柱に対応するものである。
【００２７】
ここで、実際の電柱は、例えば、長さが８０００ｍｍ、元口径が２９７ｍｍ、末口径が１９０ｍｍであり、元口から末口に向かうにつれて先細りとなる。しかし、電柱の側辺と電柱の軸とのなす角度は１度に満たないので、電柱は、円柱状に形成されているように視認される。そこで、第１の実施形態では、電柱が円柱状に形成されているものとして、以下説明する。
【００２８】
ダミー電柱２Ａ、ダミー電柱２Ｂ、ダミー電柱２Ｃ、及びダミー電柱２Ｄの各々は、複数種類の電柱の各々が有する露出部の外径寸法と同一の外径寸法を有する。具体的には、ダミー電柱２Ａは、電柱９Ａが有する露出部９２ａの外径寸法と同一の外径寸法Ｗ１を有する。ダミー電柱２Ｂは、電柱９Ｂが有する露出部９２ｂの外径寸法と同一の外径寸法Ｗ２を有する。ダミー電柱２Ｃは、電柱９Ｃが有する露出部９２ｃの外径寸法と同一の外径寸法Ｗ３を有する。ダミー電柱２Ｄは、電柱９Ｄが有する露出部９２ｄの外径寸法と同一の外径寸法Ｗ４を有する。
【００２９】
ダミー電柱２Ａ、ダミー電柱２Ｂ、ダミー電柱２Ｃ、及びダミー電柱２Ｄの各々は、複数種類の電柱の各々が有する露出部のうち地上から所定の長さ寸法を有する部分に対応する。具体的には、ダミー電柱２Ａは、電柱９Ａが有する露出部９２ａのうち地上から長さ寸法Ｌ１を有する部分に対応する。ダミー電柱２Ｂは、電柱９Ｂが有する露出部９２ｂのうち地上から長さ寸法Ｌ２を有する部分に対応する。ダミー電柱２Ｃは、電柱９Ｃが有する露出部９２ｃのうち地上から長さ寸法Ｌ３を有する部分に対応する。ダミー電柱２Ｄは、電柱９Ｄが有する露出部９２ｄのうち地上から長さ寸法Ｌ４を有する部分に対応する。
【００３０】
ダミー電柱２Ａ、ダミー電柱２Ｂ、ダミー電柱２Ｃ、及びダミー電柱２Ｄの各々は、下部を含む。この下部は、複数のダミー電柱の各々の軸方向に対して垂直に形成された底面を有する。具体的には、ダミー電柱２Ａは、下部２１ａを含む。下部２１ａは、ダミー電柱２Ａの軸方向Ｚ１に対して垂直に形成された底面２２ａを有する。下部２１ａは、円筒状に形成されている。下部２１ａは、長さ寸法ｍ１、内径寸法ｗ１、及び外径寸法Ｗ１を有する。ダミー電柱２Ｂは、下部２１ｂを含む。下部２１ｂは、ダミー電柱２Ｂの軸方向Ｚ２に対して垂直に形成された底面２２ｂを有する。下部２１ｂは、円筒状に形成されている。下部２１ｂは、長さ寸法ｍ２、内径寸法ｗ２、及び外径寸法Ｗ２を有する。ダミー電柱２Ｃは、下部２１ｃを含む。下部２１ｃは、ダミー電柱２Ｃの軸方向Ｚ３に対して垂直に形成された底面２２ｃを有する。下部２１ｃは、円筒状に形成されている。下部２１ｃは、長さ寸法ｍ３、内径寸法ｗ３、及び外径寸法Ｗ３を有する。ダミー電柱２Ｄは、下部２１ｄを含む。下部２１ｄは、ダミー電柱２Ｄの軸方向Ｚ４に対して垂直に形成された底面２２ｄを有する。下部２１ｄは、円筒状に形成されている。下部２１ｄは、長さ寸法ｍ４、内径寸法ｗ４、及び外径寸法Ｗ４を有する。
【００３１】
ダミー電柱２Ａ、ダミー電柱２Ｂ、ダミー電柱２Ｃ、及びダミー電柱２Ｄの各々は、底面から所定の距離だけ離れた位置に設けられた上部を含む。この上部は、配置部を有する。
【００３２】
具体的には、ダミー電柱２Ａは、底面２２ａから所定の距離（即ち、長さ寸法ｍ１）だけ離れた位置に設けられた上部２３ａを含む。上部２３ａは、配置部２４ａを有する。上部２３ａは、円柱状に形成されている。上部２３ａは、長さ寸法ｎ１及び外径寸法Ｗ１を有する。配置部２４ａは、環状に形成されている。配置部２４ａは、内径寸法ｗ０及び外径寸法Ｗ０を有する。
【００３３】
ダミー電柱２Ｂは、底面２２ｂから所定の距離（即ち、長さ寸法ｍ２）だけ離れた位置に設けられた上部２３ｂを含む。上部２３ｂは、配置部２４ｂを有する。上部２３ｂは、円柱状に形成されている。上部２３ｂは、長さ寸法ｎ２及び外径寸法Ｗ２を有する。配置部２４ｂは、環状に形成されている。配置部２４ｂは、内径寸法ｗ１及び外径寸法Ｗ１を有する。
【００３４】
ダミー電柱２Ｃは、底面２２ｃから所定の距離（即ち、長さ寸法ｍ３）だけ離れた位置に設けられた上部２３ｃを含む。上部２３ｃは、配置部２４ｃを有する。上部２３ｃは、円柱状に形成されている。上部２３ｃは、長さ寸法ｎ３及び外径寸法Ｗ３を有する。配置部２４ｃは、環状に形成されている。配置部２４ｃは、内径寸法ｗ２及び外径寸法Ｗ２を有する。
【００３５】
ダミー電柱２Ｄは、底面２２ｄから所定の距離（即ち、長さ寸法ｍ４）だけ離れた位置に設けられた上部２３ｄを含む。上部２３ｄは、配置部２４ｄを有する。上部２３ｄは、円柱状に形成されている。上部２３ｄは、長さ寸法ｎ４及び外径寸法Ｗ４を有する。配置部２４ｄは、環状に形成されている。配置部２４ｄは、内径寸法ｗ３及び外径寸法Ｗ３を有する。
【００３６】
ここで、第１の実施形態では、長さ寸法Ｌ１は１７００ｍｍ、長さ寸法Ｌ２は１８００ｍｍ、長さ寸法Ｌ３は１９００ｍｍ、長さ寸法Ｌ４は２０００ｍｍに設定される。長さ寸法ｍ１は１６００ｍｍ、長さ寸法ｍ２は１７００ｍｍ、長さ寸法ｍ３は１８００ｍｍ、長さ寸法ｍ４は１９００ｍｍに設定される。長さ寸法ｎ１、長さ寸法ｎ２、長さ寸法ｎ３、及び長さ寸法ｎ４の各々は、１００ｍｍに設定される。内径寸法ｗ０は２５８ｍｍ、内径寸法ｗ１は２７０ｍｍ、内径寸法ｗ２は２９２ｍｍ、内径寸法ｗ３は３１６ｍｍ、内径寸法ｗ４は３３８ｍｍに設定される。外径寸法Ｗ０は２６６ｍｍ、外径寸法Ｗ１は２７８ｍｍ、外径寸法Ｗ２は３００ｍｍ、外径寸法Ｗ３は３２４ｍｍ、外径寸法Ｗ４は３４６ｍｍに設定される。
【００３７】
ダミー電柱２Ａ、ダミー電柱２Ｂ、ダミー電柱２Ｃ、及びダミー電柱２Ｄの各々は、一対の表示部を有する。一対の表示部は、底面の中心を通る直線が底面の円縁と交わる点を示す。具体的には、ダミー電柱２Ａは、一対の表示部２７ａを有する。一対の表示部２７ａは、底面２２ａの中心Ｑ１を通る直線が底面２２ａの円縁と交わる点を示す。ダミー電柱２Ｂは、一対の表示部２７ｂを有する。一対の表示部２７ｂは、底面２２ｂの中心Ｑ２を通る直線が底面２２ｂの円縁と交わる点を示す。ダミー電柱２Ｃは、一対の表示部２７ｃを有する。一対の表示部２７ｃは、底面２２ｃの中心Ｑ３を通る直線が底面２２ｃの円縁と交わる点を示す。ダミー電柱２Ｄは、一対の表示部２７ｄを有する。一対の表示部２７ｄは、底面２２ｄの中心Ｑ４を通る直線が底面２２ｄの円縁と交わる点を示す。
【００３８】
ダミー電柱２Ａ、ダミー電柱２Ｂ、ダミー電柱２Ｃ、及びダミー電柱２Ｄの各々は、複数種類の電柱の各々の表面と同じ色調に着色されている。具体的には、ダミー電柱２Ａは、表面Ｐ１を有する。表面Ｐ１は、電柱９Ａの表面と同じ色調に着色されている。ダミー電柱２Ｂは、表面Ｐ２を有する。表面Ｐ２は、電柱９Ｂの表面と同じ色調に着色されている。ダミー電柱２Ｃは、表面Ｐ３を有する。表面Ｐ３は、電柱９Ｃの表面と同じ色調に着色されている。ダミー電柱２Ｄは、表面Ｐ４を有する。表面Ｐ４は、電柱９Ｄの表面と同じ色調に着色されている。
【００３９】
ここで、第１の実施形態では、表面Ｐ１、表面Ｐ２、表面Ｐ３、及び表面Ｐ４の各々は、灰色に着色されている。
【００４０】
図２は、電柱施設用器具１の使用方法を説明するための図である。図２には、電力会社等が所定の土地ｇに電柱９Ｄの施設を所望する場合の交渉において、電力会社等側の交渉人Ｘが所定の土地ｇの地権者Ｙに所定の土地ｇに配置したダミー電柱２Ｄを見せながら電柱９Ｄの寸法・材質等を説明する場面が示されている。
【００４１】
まず、電力会社側の交渉人Ｘは、電柱９Ｄを施設しようとする所定の土地ｇに、この電柱９Ｄの露出部９２ｄの外径寸法と同一の外径寸法を有するダミー電柱２Ｄを配置する。このダミー電柱２Ｄの表面Ｐ４は、電柱９Ｄの表面と同じ色調に着色された灰色を有するので、ダミー電柱２Ｄは、電柱９Ｄに更に似たものとなる。
【００４２】
次に、交渉人Ｘは、ダミー電柱２Ｄを見せながら、所定の土地ｇの地権者Ｙに電柱９Ｄの寸法・材質等を説明する。
【００４３】
このように、地権者Ｙは、所定の土地ｇに実際に電柱９Ｄが施設されているかのように配置されたダミー電柱２Ｄを視認できるので、電柱９Ｄが所定の土地ｇに施設された状態を容易にイメージすることができる。即ち、電柱施設用器具１によれば、所定の土地ｇに電柱９Ｄが施設された状態のイメージと所定の土地ｇに電柱９Ｄが施設された状態の現実との食い違いが生じる頻度を少なくすることができる。
【００４４】
例えば、大きな建物（例えば、塀）の際に電柱を施設する場合でも、交渉人Ｘは、複数のダミー電柱を大きな建物に接して配置することができるので、地権者Ｙは、大きな建物（例えば、塀）の際に電柱が施設された状態を容易にイメージすることができる。
【００４５】
図３は、複数のダミー電柱の各々が有する収納部を示す斜視図である。
【００４６】
複数のダミー電柱の各々は、収納部を有する。具体的には、ダミー電柱２Ａは、収納部２５ａを有する。ダミー電柱２Ｂは、収納部２５ｂを有する。ダミー電柱２Ｃは、収納部２５ｃを有する。ダミー電柱２Ｄは、収納部２５ｄを有する。
【００４７】
複数のダミー電柱の各々が有する収納部は、複数のダミー電柱の各々より外径寸法が小さいダミー電柱を収納可能に構成されている。具体的には、ダミー電柱２Ａが有する収納部２５ａは、ダミー電柱２Ａより外径寸法が小さいダミー電柱を収納可能に構成されている。ダミー電柱２Ｂが有する収納部２５ｂは、ダミー電柱２Ｂより外径寸法が小さいダミー電柱２Ａを収納可能に構成されている。ダミー電柱２Ｃが有する収納部２５ｃは、ダミー電柱２Ｃより外径寸法が小さいダミー電柱２Ａ及びダミー電柱２Ｂを収納可能に構成されている。ダミー電柱２Ｄが有する収納部２５ｄは、ダミー電柱２Ｄより外径寸法が小さいダミー電柱２Ａ、ダミー電柱２Ｂ、及びダミー電柱２Ｃを収納可能に構成されている。
【００４８】
続いて、収納部２５ａ、収納部２５ｂ、収納部２５ｃ、及び収納部２５ｄの各々の構成について、後述の図４を参照して詳細に説明する。
【００４９】
図４は、複数のダミー電柱の各々が該複数のダミー電柱の各々より外径寸法が小さいダミー電柱を収納した状態を示す断面図である。
【００５０】
収納部２５ａは、下部２１ａの内側に形成された空間により構成されている。具体的には、収納部２５ａは、下部２１ａの内径寸法ｗ１と同一の外径寸法、下部２１ａの長さ寸法ｍ１と同一の長さ寸法を有する。
【００５１】
収納部２５ｂは、下部２１ｂの内側に形成された空間により構成されている。具体的には、収納部２５ｂは、下部２１ｂの内径寸法ｗ２と同一の外径寸法、下部２１ｂの長さ寸法ｍ２と同一の長さ寸法を有する。即ち、ダミー電柱２Ａの外径寸法Ｗ１が内径寸法ｗ２（収納部２５ｂの外径寸法）より小さいので、収納部２５ｂは、ダミー電柱２Ａを収納可能に構成されている。言い換えるならば、ダミー電柱２Ｂは、ダミー電柱２Ｂより外径寸法が小さいダミー電柱２Ａを収納可能に構成された収納部２５ｂを有する。
【００５２】
収納部２５ｃは、下部２１ｃの内側に形成された空間により構成されている。具体的には、収納部２５ｃは、下部２１ｃの内径寸法ｗ３と同一の外径寸法、下部２１ｃの長さ寸法ｍ３と同一の長さ寸法を有する。即ち、ダミー電柱２Ｂの外径寸法Ｗ２が内径寸法ｗ３（収納部２５ｃの外径寸法）より小さいので、収納部２５ｃは、ダミー電柱２Ｂを収納可能に構成されている。言い換えるならば、ダミー電柱２Ｃは、ダミー電柱２Ｃより外径寸法が小さいダミー電柱２Ｂを収納可能に構成された収納部２５ｃを有する。
【００５３】
収納部２５ｄは、下部２１ｄの内側に形成された空間により構成されている。具体的には、収納部２５ｄは、下部２１ｄの内径寸法ｗ４と同一の外径寸法、下部２１ｄの長さ寸法ｍ４と同一の長さ寸法を有する。即ち、ダミー電柱２Ｃの外径寸法Ｗ３が内径寸法ｗ４（収納部２５ｄの外径寸法）より小さいので、収納部２５ｄは、ダミー電柱２Ｃを収納可能に構成されている。言い換えるならば、ダミー電柱２Ｄは、ダミー電柱２Ｄより外径寸法が小さいダミー電柱２Ｃを収納可能に構成された収納部２５ｄを有する。
【００５４】
したがって、電力会社等は、複数のダミー電柱、例えば、ダミー電柱２Ａ、ダミー電柱２Ｂ、ダミー電柱２Ｃ、及びダミー電柱２Ｄのうち最も大きい外径寸法を有するダミー電柱２Ｄに、ダミー電柱２Ａ、ダミー電柱２Ｂ、及びダミー電柱２Ｃを収納することができる。即ち、電力会社等は、複数のダミー電柱を１つにまとめることにより、複数のダミー電柱を手軽に持ち運ぶことができる。更に、電力会社等は、複数のダミー電柱を１つにまとめることにより、複数のダミー電柱をまとめない場合と比べてより小さいスペースでこれらを保管することができる。
【００５５】
図５の（ａ）は、電柱施設用器具１の使用状態の一例を示す図である。図５の（ｂ）は、図５の（ａ）に示す切り取り部分Ｆの拡大断面図である。
【００５６】
図５の（ａ）には、複数のダミー電柱の各々より外径寸法が小さいダミー電柱を軸方向に沿って配置した使用状態の一例が示されている。具体的には、ダミー電柱２Ｄの上部２３ｄに、ダミー電柱２Ｄより外径寸法の小さいダミー電柱２Ｃが配置されている。ダミー電柱２Ｃの上部２３ｃに、ダミー電柱２Ｃより外径寸法の小さいダミー電柱２Ｂが配置されている。ダミー電柱２Ｂの上部２３ｂに、ダミー電柱２Ｂより外径寸法の小さいダミー電柱２Ａが配置されている。
【００５７】
ここで、配置部２４ａ、配置部２４ｂ、配置部２４ｃ、及び配置部２４ｄの各々は、外径寸法及び内径寸法を除いて、基本的に、同一の構成を有している。そこで、複数の配置部のうち配置部２４ｄを取り上げて、その構成について、後述の図５の（ｂ）を参照して詳細に説明する。
【００５８】
図５の（ｂ）には、内径寸法ｗ３及び外径寸法Ｗ３を有する配置部２４ｄに内径寸法ｗ３及び外径寸法Ｗ３を有するダミー電柱２Ｃを嵌合した使用状態の断面が示されている。即ち、配置部２４ｄとダミー電柱２Ｃとは、同一の外径寸法及び同一の内径寸法を有するので、配置部２４ｄに、ダミー電柱２Ｃを嵌合することができる。
【００５９】
配置部２４ｄは、ダミー電柱２Ｃが有する底面２２ｃと接触する接触面２６ｄを有する。接触面２６ｄは、底面２２ｄと平行に設けられている。したがって、配置部２４ｄは、ダミー電柱２Ｄより外径寸法が小さいダミー電柱２Ｃを軸方向Ｚ４に沿って配置可能に構成されている。
【００６０】
図示は省略しているが、配置部２４ａ、配置部２４ｂ、及び配置部２４ｃの各々についても、上述した配置部２４ｄと同様のことが言える。即ち、複数のダミー電柱の各々が有する上部は、複数のダミー電柱の各々より外径寸法が小さいダミー電柱を軸方向に沿って配置可能に構成された配置部を有している。
【００６１】
以上のことから、交渉人Ｘは、ダミー電柱２Ａ、ダミー電柱２Ｂ、ダミー電柱２Ｃ、及びダミー電柱２Ｄを適宜配置することにより、これらが有する長さ寸法を変更することができる。例えば、電柱の露出部の長さ寸法に近づけることができる。これにより、所定の土地ｇの地権者Ｙは、所定の土地ｇに施設しようとする電柱により近いものを視認することになるので、所定の土地ｇに電柱が施設された状態を更に容易にイメージすることができる。
【００６２】
図６は、電柱施設用器具１’を示す斜視図である。
【００６３】
電柱施設用器具１’は、ダミー電柱台３を備える。図示は省略しているが、電柱施設用器具１’は、ダミー電柱２Ａ、ダミー電柱２Ｂ、ダミー電柱２Ｃ、ダミー電柱２Ｄ、及びダミー電柱台３を備える。ダミー電柱台３は、台座部３１を有する。台座部３１は、台座面３２を有する。台座面３２は、ダミー電柱２Ａ、ダミー電柱２Ｂ、ダミー電柱２Ｃ、及びダミー電柱２Ｄを乗せるために平坦に成形されている。
【００６４】
ここで、ダミー電柱２Ａ、ダミー電柱２Ｂ、ダミー電柱２Ｃ、及びダミー電柱２Ｄの各々は、長さ寸法、外径寸法、内径寸法を除いて、基本的に、同一の構成を有している。そこで、ダミー電柱２Ｄを取り上げて、以下、ダミー電柱台３の構成を説明する。
【００６５】
ダミー電柱台３は、突出部３３を有する。突出部３３は、台座部３１に隣接してダミー電柱台３に設けられている。突出部３３は、台座面３２に底面２２ｄが接して乗せられるダミー電柱２Ｄの軸方向Ｚ４に突出している。突出部３３は、台座面３２に底面２２ｄが接して乗せられるダミー電柱２Ｄに接する接触面３４を有する。接触面３４は、台座面３２に対して垂直に突出部３３に設けられている。
【００６６】
ダミー電柱台３は、複数の脚部３５を備える。具体的には、脚部３５は、台座部３１を支持する。脚部３５は、台座部３１を支持しかつ地上と接する。脚部３５は、地上とダミー電柱台３との間の距離を変更可能に構成された変更部３６を有する。ダミー電柱台３は、台座部３１と脚部３５とが係り合う複数の係合部３７を備える。具体的には、脚部３５は、いわゆる雄ねじである。係合部３７は、いわゆる雌ねじである。
【００６７】
図７は、電柱施設用器具１’の使用状態の一例を示す図である。図７には、所定の土地ｇと隣接する他の土地ｈとの境界Ｔに接触面３４が合致するようにダミー電柱台３を配置して、ダミー電柱台３に乗せられるダミー電柱２Ｄを境界Ｔの際に配置した状態が示されている。
【００６８】
まず、所定の土地ｇと隣接する他の土地ｈとの境界Ｔに接触面３４が合致するようにダミー電柱台３を配置する。続いて、ダミー電柱台３が有する台座面３２に接触面３４と接するようにダミー電柱２Ｄを乗せる。ここで、ダミー電柱２Ｄを取り上げたが、交渉人Ｘと地権者Ｙとの交渉に応じて、ダミー電柱２Ａ、ダミー電柱２Ｂ、ダミー電柱２Ｃ、及びダミー電柱２Ｄが適宜用いられる。したがって、所定の土地ｇと他の土地ｈとの境界Ｔに沿って電柱の施設を所望する所定の土地ｇの地権者Ｙにとってみれば、境界Ｔに沿って所定の土地ｇに電柱が施設された状態を正確にイメージすることができる。
【００６９】
例えば、ダミー電柱台３を配置するときに、所定の土地ｇに凸凹がある場合には、脚部３５により、台座面３２が水平に位置するように地上とダミー電柱台３との間の距離を変更する。具体的には、複数の係合部３７にはめ込む脚部３５の個数、脚部３５をはめ込む係合部３７の場所、脚部３５を係合部３７に対してはめ込む度合を調節することで、台座面３２を水平に保つことができる。即ち、所定の土地ｇに凸凹がある場合でも、ダミー電柱台３を用いることで、所定の土地ｇを平坦にする作業を行うことなく、所定の土地ｇに対してダミー電柱２Ａ、ダミー電柱２Ｂ、ダミー電柱２Ｃ、及びダミー電柱２Ｄの各々を垂直に立てることができる。したがって、凸凹がある所定の土地ｇの地権者Ｙであっても、所定の土地ｇに電柱が施設された状態をイメージすることができる。
【００７０】
図８の（ａ）は、電柱施設用器具１’の使用状態の一例を示す説明図である。図８の（ｂ）は、図８の（ａ）に示される状態を真上から見た平面図である。
【００７１】
図８の（ａ）には、所定の土地ｇと隣接する他の土地ｈとの境界Ｔに表示部２７ｄが合致するようにダミー電柱２Ｄが配置された状態が示されている。図８の（ｂ）を参照すると、ダミー電柱２Ｄにより占められる所定の土地ｇの大きさとダミー電柱２Ｄにより占められる他の土地ｈの大きさとが等しくなることが明らかである。
【００７２】
ここで、電柱施設用器具１’の使用状態の一例として、ダミー電柱２Ｄを用いて説明した。しかし、ダミー電柱２Ａ、ダミー電柱２Ｂ、及びダミー電柱２Ｃは、ダミー電柱２Ｄが有する表示部２７ｄと同様に構成された表示部、即ち、表示部２７ａ、表示部２７ｂ、及び表示部２７ｃを有している。したがって、ダミー電柱２Ａ、ダミー電柱２Ｂ、ダミー電柱２Ｃ、又はダミー電柱２Ｄの何れを用いても、所定の土地ｇと隣接する他の土地ｈとの境界Ｔに表示部が合致するようにダミー電柱を配置することで、ダミー電柱により占められる所定の土地ｇの大きさとダミー電柱により占められる他の土地ｈの大きさとを等しくすることができる。
【００７３】
＜第２の実施形態＞
図９は、電柱施設用器具１’’を示す斜視図である。
【００７４】
電柱施設用器具１’’は、複数のダミー電柱を備える。具体的には、電柱施設用器具１’’は、ダミー電柱２Ａ’、ダミー電柱２Ｂ’、ダミー電柱２Ｃ’、及びダミー電柱２Ｄ’を備える。ダミー電柱２Ａ’、ダミー電柱２Ｂ’、ダミー電柱２Ｃ’、及びダミー電柱２Ｄ’は、複数種類の電柱に対応している。
【００７５】
ダミー電柱２Ａ’、ダミー電柱２Ｂ’、ダミー電柱２Ｃ’、及びダミー電柱２Ｄ’は、元口から末口に向かうにつれて先細りとなる外径寸法の異なる複数種類の電柱に対応する。具体的には、ダミー電柱２Ａ’は、電柱９Ａに対応する。ダミー電柱２Ｂ’は、電柱９Ｂに対応する。ダミー電柱２Ｃ’は、電柱９Ｃに対応する。ダミー電柱２Ｄ’は、電柱９Ｄに対応する。ダミー電柱２Ａ’、ダミー電柱２Ｂ’、ダミー電柱２Ｃ’、及びダミー電柱２Ｄ’は、図９に示すものに限られるものではなく、複数種類の電柱に対応するものである。
【００７６】
ダミー電柱２Ａ’、ダミー電柱２Ｂ’、ダミー電柱２Ｃ’、及びダミー電柱２Ｄ’の各々は、複数種類の電柱の各々が有する露出部の外径寸法と同一の外径寸法を有する。具体的には、ダミー電柱２Ａ’は、電柱９Ａが有する露出部９２ａの外径寸法と同一の下側の外径寸法Ｗ１及び上側の外径寸法Ｗ５を有する。ダミー電柱２Ｂ’は、電柱９Ｂが有する露出部９２ｂの外径寸法と同一の下側の外径寸法Ｗ２及び上側の外径寸法Ｗ６を有する。ダミー電柱２Ｃ’は、電柱９Ｃが有する露出部９２ｃの外径寸法と同一の下側の外径寸法Ｗ３及び上側の外径寸法Ｗ７を有する。ダミー電柱２Ｄ’は、電柱９Ｄが有する露出部９２ｄの外径寸法と同一の下側の外径寸法Ｗ４及び上側の外径寸法Ｗ８を有する。
【００７７】
ダミー電柱２Ａ’、ダミー電柱２Ｂ’、ダミー電柱２Ｃ’、及びダミー電柱２Ｄ’の各々は、複数種類の電柱の各々が有する露出部のうち地上から所定の長さ寸法を有する部分に対応する。具体的には、ダミー電柱２Ａ’は、電柱９Ａが有する露出部９２ａのうち地上から長さ寸法Ｌ１’を有する部分に対応する。ダミー電柱２Ｂ’は、電柱９Ｂが有する露出部９２ｂのうち地上から長さ寸法Ｌ２’を有する部分に対応する。ダミー電柱２Ｃ’は、電柱９Ｃが有する露出部９２ｃのうち地上から長さ寸法Ｌ３’を有する部分に対応する。ダミー電柱２Ｄ’は、電柱９Ｄが有する露出部９２ｄのうち地上から長さ寸法Ｌ４’を有する部分に対応する。
【００７８】
ダミー電柱２Ａ’、ダミー電柱２Ｂ’、ダミー電柱２Ｃ’、及びダミー電柱２Ｄ’の各々は、下部を含む。この下部は、複数のダミー電柱の各々の軸方向に対して垂直に形成された底面を有する。具体的には、ダミー電柱２Ａ’は、下部２１ａ’を含む。下部２１ａ’は、ダミー電柱２Ａ’の軸方向Ｚ１に対して垂直に形成された底面２２ａ’を有する。下部２１ａ’は、長さ寸法ｍ１’を有する。ダミー電柱２Ｂ’は、下部２１ｂ’を含む。下部２１ｂ’は、ダミー電柱２Ｂ’の軸方向Ｚ２に対して垂直に形成された底面２２ｂ’を有する。下部２１ｂ’は、長さ寸法ｍ２’を有する。ダミー電柱２Ｃ’は、下部２１ｃ’を含む。下部２１ｃ’は、ダミー電柱２Ｃ’の軸方向Ｚ３に対して垂直に形成された底面２２ｃ’を有する。下部２１ｃ’は、長さ寸法ｍ３’を有する。ダミー電柱２Ｄ’は、下部２１ｄ’を含む。下部２１ｄ’は、ダミー電柱２Ｄ’の軸方向Ｚ４に対して垂直に形成された底面２２ｄ’を有する。下部２１ｄ’は、長さ寸法ｍ４’を有する。
【００７９】
また、ダミー電柱２Ａ’、ダミー電柱２Ｂ’、ダミー電柱２Ｃ’、及びダミー電柱２Ｄ’の各々は、底面から所定の距離だけ離れた位置に設けられた上部を含む。この上部は、配置部を有する。
【００８０】
具体的には、ダミー電柱２Ａ’は、底面２２ａ’から所定の距離（即ち、長さ寸法ｍ１’）だけ離れた位置に設けられた上部２３ａ’を含む。上部２３ａ’は、配置部２４ａ’を有する。上部２３ａ’は、長さ寸法ｎ１’を有する。配置部２４ａ’は、環状に形成されている。配置部２４ａ’は、この側部が上部２３ａ’の内側に固着して設けられている。配置部２４ａ’は、力を加えると大きく変形し、その力を除くとすぐに元の形状に戻る性質をもつ物質（例えば、ゴム）により構成されている。
【００８１】
ダミー電柱２Ｂ’は、底面２２ｂ’から所定の距離（即ち、長さ寸法ｍ２’）だけ離れた位置に設けられた上部２３ｂ’を含む。上部２３ｂ’は、配置部２４ｂ’を有する。上部２３ｂ’は、長さ寸法ｎ２’を有する。配置部２４ｂ’は、環状に形成されている。配置部２４ｂ’は、この側部が上部２３ｂ’の内側に固着して設けられている。配置部２４ｂ’は、力を加えると大きく変形し、その力を除くとすぐに元の形状に戻る性質をもつ物質（例えば、ゴム）により構成されている。
【００８２】
ダミー電柱２Ｃ’は、底面２２ｃ’から所定の距離（即ち、長さ寸法ｍ３’）だけ離れた位置に設けられた上部２３ｃ’を含む。上部２３ｃ’は、配置部２４ｃ’を有する。配置部２４ｃ’は、この側部が上部２３ｃ’の内側に固着して設けられている。上部２３ｃ’は、長さ寸法ｎ３’を有する。配置部２４ｃ’は、環状に形成されている。配置部２４ｃ’は、力を加えると大きく変形し、その力を除くとすぐに元の形状に戻る性質をもつ物質（例えば、ゴム）により構成されている。
【００８３】
ダミー電柱２Ｄ’は、底面２２ｄ’から所定の距離（即ち、長さ寸法ｍ４’）だけ離れた位置に設けられた上部２３ｄ’を含む。上部２３ｄ’は、配置部２４ｄ’を有する。配置部２４ｄ’は、この側部が上部２３ｄ’の内側に固着して設けられている。上部２３ｄ’は、長さ寸法ｎ４’を有する。配置部２４ｄ’は、環状に形成されている。配置部２４ｄ’は、力を加えると大きく変形し、その力を除くとすぐに元の形状に戻る性質をもつ物質（例えば、ゴム）により構成されている。
【００８４】
ダミー電柱２Ａ’、ダミー電柱２Ｂ’、ダミー電柱２Ｃ’、及びダミー電柱２Ｄ’の各々は、収納部を有する。具体的には、ダミー電柱２Ａ’は、収納部２５ａ’を有する。ダミー電柱２Ｂ’は、収納部２５ｂ’を有する。ダミー電柱２Ｃ’は、収納部２５ｃ’を有する。ダミー電柱２Ｄ’は、収納部２５ｄ’を有する。
【００８５】
複数のダミー電柱の各々が有する収納部は、複数のダミー電柱の各々より外径寸法が小さいダミー電柱を収納可能に構成されている。具体的には、ダミー電柱２Ａ’が有する収納部２５ａ’は、ダミー電柱２Ａ’より外径寸法が小さいダミー電柱を収納可能に構成されている。ダミー電柱２Ｂ’が有する収納部２５ｂ’は、ダミー電柱２Ｂ’より外径寸法が小さいダミー電柱２Ａ’を収納可能に構成されている。ダミー電柱２Ｃ’が有する収納部２５ｃ’は、ダミー電柱２Ｃ’より外径寸法が小さいダミー電柱２Ａ’及びダミー電柱２Ｂ’を収納可能に構成されている。ダミー電柱２Ｄ’が有する収納部２５ｄ’は、ダミー電柱２Ｄ’より外径寸法が小さいダミー電柱２Ａ’、ダミー電柱２Ｂ’、及びダミー電柱２Ｃ’を収納可能に構成されている。
【００８６】
収納部２５ａ’は、ダミー電柱２Ａ’の内側に形成された空間により構成されている。具体的には、収納部２５ａ’は、下側の外径寸法としてダミー電柱２Ａ’の内径寸法ｗ１と上側の外径寸法としてダミー電柱２Ａ’の内径寸法ｗ５とを有する。
【００８７】
収納部２５ｂ’は、ダミー電柱２Ｂ’の内側に形成された空間により構成されている。具体的には、収納部２５ｂ’は、下側の外径寸法としてダミー電柱２Ｂ’の内径寸法ｗ２と上側の外径寸法としてダミー電柱２Ｂ’の内径寸法ｗ６とを有する。即ち、ダミー電柱２Ａ’の下側の外径寸法Ｗ１が内径寸法ｗ２（収納部２５ｂ’の下側の外径寸法）より小さくかつダミー電柱２Ａ’の上側の外径寸法Ｗ５が内径寸法ｗ６（収納部２５ｂ’の上側の外径寸法）より小さいので、収納部２５ｂ’は、ダミー電柱２Ａ’を収納可能に構成されている。言い換えるならば、ダミー電柱２Ｂ’は、ダミー電柱２Ｂ’より外径寸法が小さいダミー電柱２Ａ’を収納可能に構成された収納部２５ｂ’を有する。
【００８８】
収納部２５ｃ’は、ダミー電柱２Ｃ’の内側に形成された空間により構成されている。具体的には、収納部２５ｃ’は、下側の外径寸法としてダミー電柱２Ｃ’の内径寸法ｗ３と上側の外径寸法としてダミー電柱２Ｃ’の内径寸法ｗ７とを有する。即ち、ダミー電柱２Ｂ’の下側の外径寸法Ｗ２が内径寸法ｗ３（収納部２５ｃ’の下側の外径寸法）より小さくかつダミー電柱２Ｂ’の上側の外径寸法Ｗ６が内径寸法ｗ７（収納部２５ｃ’の上側の外径寸法）より小さいので、収納部２５ｃ’は、ダミー電柱２Ｂ’を収納可能に構成されている。言い換えるならば、ダミー電柱２Ｃ’は、ダミー電柱２Ｃ’より外径寸法が小さいダミー電柱２Ｂ’を収納可能に構成された収納部２５ｃ’を有する。
【００８９】
収納部２５ｄ’は、ダミー電柱２Ｄ’の内側に形成された空間により構成されている。具体的には、収納部２５ｄ’は、下側の外径寸法としてダミー電柱２Ｄ’の内径寸法ｗ４と上側の外径寸法としてダミー電柱２Ｄ’の内径寸法ｗ８とを有する。即ち、ダミー電柱２Ｃ’の下側の外径寸法Ｗ３が内径寸法ｗ４（収納部２５ｄ’の下側の外径寸法）より小さくかつダミー電柱２Ｃ’の上側の外径寸法Ｗ７が内径寸法ｗ８（収納部２５ｄ’の上側の外径寸法）より小さいので、収納部２５ｄ’は、ダミー電柱２Ｃ’を収納可能に構成されている。言い換えるならば、ダミー電柱２Ｄ’は、ダミー電柱２Ｄ’より外径寸法が小さいダミー電柱２Ｃ’を収納可能に構成された収納部２５ｄ’を有する。
【００９０】
したがって、電力会社等は、複数のダミー電柱、例えば、ダミー電柱２Ａ’、ダミー電柱２Ｂ’、ダミー電柱２Ｃ’、及びダミー電柱２Ｄ’のうち最も大きい外径寸法を有するダミー電柱２Ｄ’に、ダミー電柱２Ａ’、ダミー電柱２Ｂ’、及びダミー電柱２Ｃ’を収納することができる。即ち、電力会社等は、複数のダミー電柱を１つにまとめることにより、複数のダミー電柱を手軽に持ち運ぶことができる。更に、電力会社等は、複数のダミー電柱を１つにまとめることにより、複数のダミー電柱をまとめない場合と比べてより小さいスペースでこれらを保管することができる。
【００９１】
ここで、第２の実施形態では、長さ寸法Ｌ１’、長さ寸法Ｌ２’、長さ寸法Ｌ３’、及び長さ寸法Ｌ４’の各々は、２０００ｍｍに設定される。長さ寸法ｍ１’、長さ寸法ｍ２’、長さ寸法ｍ３’、及び長さ寸法ｍ４’の各々は、１９００ｍｍに設定される。長さ寸法ｎ１’、長さ寸法ｎ２’、長さ寸法ｎ３’、及び長さ寸法ｎ４’の各々は、１００ｍｍに設定される。
【００９２】
下側の内径寸法ｗ１は２７０ｍｍ、下側の内径寸法ｗ２は２９２ｍｍ、下側の内径寸法ｗ３は３１６ｍｍ、下側の内径寸法ｗ４は３３８ｍｍに設定される。下側の外径寸法Ｗ１は２７８ｍｍ、下側の外径寸法Ｗ２は３００ｍｍ、下側の外径寸法Ｗ３は３２４ｍｍ、下側の外径寸法Ｗ４は３４６ｍｍに設定される。
【００９３】
上側の内径寸法ｗ５は２４２ｍｍ、上側の内径寸法ｗ６は２６６ｍｍ、上側の内径寸法ｗ７は２８８ｍｍ、上側の内径寸法ｗ８は３１６ｍｍに設定される。上側の外径寸法Ｗ５は２５０ｍｍ、上側の外径寸法Ｗ６は２７４ｍｍ、上側の外径寸法Ｗ７は２９６ｍｍ、上側の外径寸法Ｗ８は３２４ｍｍに設定される。
【００９４】
ダミー電柱２Ａ’、ダミー電柱２Ｂ’、ダミー電柱２Ｃ’、及びダミー電柱２Ｄ’の各々は、一対の表示部を有する。一対の表示部は、第１の実施形態で説明した表示部と同一の構成を有する。ダミー電柱２Ａ’、ダミー電柱２Ｂ’、ダミー電柱２Ｃ’、及びダミー電柱２Ｄ’の各々は、表面を有する。この表面は、第１の実施形態で説明した表面と同一の構成を有する。
【００９５】
以上のことから、電力会社側の交渉人Ｘは、例えば、電柱９Ｄを施設しようとする所定の土地ｇに、この電柱９Ｄの露出部９２ｄの外径寸法と同一の外径寸法を有するダミー電柱２Ｄ’を配置することができる。このダミー電柱２Ｄ’の表面Ｐ４は、電柱９Ｄの表面と同じ色調に着色された灰色を有するので、ダミー電柱２Ｄ’は、電柱９Ｄに更に似たものとなる。そして、交渉人Ｘは、ダミー電柱２Ｄ’を見せながら、所定の土地ｇの地権者Ｙに電柱９Ｄの寸法・材質等を説明することができる。したがって、地権者Ｙは、所定の土地ｇに実際に電柱が施設されているかのように配置されたダミー電柱を視認できるので、電柱が所定の土地ｇに施設された状態を容易にイメージすることができる。即ち、電柱施設用器具１’’によれば、所定の土地ｇに電柱が施設された状態のイメージと所定の土地ｇに電柱が施設された状態の現実との食い違いが生じる頻度を少なくすることができる。
【００９６】
図１０の（ａ）は、電柱施設用器具１’’の使用状態の一例を示す図である。図１０の（ｂ）は、図１０の（ａ）に示す切り取り部分Ｆ’の拡大断面図である。
【００９７】
図１０の（ａ）には、複数のダミー電柱の各々より外径寸法が小さいダミー電柱を軸方向に沿って配置した使用状態の一例が示されている。具体的には、ダミー電柱２Ｄ’の上部２３ｄ’に、ダミー電柱２Ｄ’より外径寸法の小さいダミー電柱２Ｃ’が配置されている。ダミー電柱２Ｃ’の上部２３ｃ’に、ダミー電柱２Ｃ’より外径寸法の小さいダミー電柱２Ｂ’が配置されている。ダミー電柱２Ｂ’の上部２３ｂ’に、ダミー電柱２Ｂ’より外径寸法の小さいダミー電柱２Ａ’が配置されている。
【００９８】
ここで、配置部２４ａ’、配置部２４ｂ’、配置部２４ｃ’、及び配置部２４ｄ’の各々は、外径寸法及び内径寸法を除いて、基本的に、同一の構成を有している。そこで、複数の配置部のうち配置部２４ｄ’を取り上げて、その構成について、後述の図１０の（ｂ）を参照して詳細に説明する。
【００９９】
図１０の（ｂ）には、配置部２４ｄ’に内径寸法ｗ３及び外径寸法Ｗ３を有するダミー電柱２Ｃ’を嵌合した使用状態の断面が示されている。即ち、配置部２４ｄ’の内径寸法をダミー電柱２Ｃ’の下側の外径寸法Ｗ３より小さく構成しているので、配置部２４ｄ’に、ダミー電柱２Ｃ’を嵌合することができる。
【０１００】
ここで、嵌合する手順について説明する。まず、ダミー電柱２Ｃ’をダミー電柱２Ｄ’に収納する。次に、ダミー電柱２Ｃ’を上に向かって引っ張る。このとき、ダミー電柱２Ｃが軸方向Ｚ４に沿って配置されるように、ダミー電柱２Ｃ’を上に向かって引っ張る力及び方向を加減することが好ましい。このような手順を行うことにより、配置部２４ｄ’に、ダミー電柱２Ｃ’を嵌合することができる。
【０１０１】
図示は省略しているが、配置部２４ａ’、配置部２４ｂ’、及び配置部２４ｃ’の各々についても、上述した配置部２４ｄ’と同様のことが言える。即ち、複数のダミー電柱の各々が有する上部は、複数のダミー電柱の各々より外径寸法が小さいダミー電柱を軸方向に沿って配置可能に構成された配置部を有している。
【０１０２】
図１１は、電柱施設用器具１’’の使用状態の一例を示す図である。図１１には、凸凹を有する所定の土地ｇにダミー電柱２Ｄ’を配置した状態が示されている。
【０１０３】
図１１に示すように、ダミー電柱２Ｄ’は、複数の脚部３５を備える。具体的には、脚部３５は、下部２１ｄ’を支持する。脚部３５は、下部２１ｄ’を支持しかつ地上と接する。脚部３５は、地上と底面２２ｄ’との間の距離を変更可能に構成された変更部３６を有する。ダミー電柱２Ｄ’は、下部２１ｄ’と脚部３５とが係り合う複数の係合部３７を備える。具体的には、脚部３５は、いわゆる雄ねじである。係合部３７は、いわゆる雌ねじである。
【０１０４】
ここで、図示は省略しているが、ダミー電柱２Ａ’、ダミー電柱２Ｂ’、及びダミー電柱２Ｃ’の各々は、ダミー電柱２Ｄ’と同様の複数の脚部３５を備える。更に、これらのダミー電柱は、ダミー電柱２Ｄ’と同様の複数の係合部３７を備える。
【０１０５】
したがって、複数のダミー電柱の何れかを配置するときに、所定の土地ｇに凸凹がある場合には、脚部３５により、底面が水平に位置するように地上と下部との間の距離を変更することができる。具体的には、複数の係合部３７にはめ込む脚部３５の個数、脚部３５をはめ込む係合部３７の場所、脚部３５を係合部３７に対してはめ込む度合を調節することで、底面を水平に保つことができる。即ち、所定の土地ｇに凸凹がある場合でも、脚部３５を用いることで、所定の土地ｇを平坦にする作業を行うことなく、所定の土地ｇに対してダミー電柱２Ａ’、ダミー電柱２Ｂ’、ダミー電柱２Ｃ’、及びダミー電柱２Ｄ’の各々を垂直に立てることができる。したがって、凸凹がある所定の土地ｇの地権者Ｙであっても、所定の土地ｇに電柱が施設された状態をイメージすることができる。
【０１０６】
＜第３の実施形態＞
図１２は、電柱施設用器具１’’’を示す斜視図である。
【０１０７】
電柱施設用器具１’’’は、板状部材４を備える。板状部材４は、弾性体材料からなるものである。板状部材４は、厚みが少ない厚さ寸法（例えば、４ｍｍ）と、長さ寸法（例えば、２０００ｍｍ）と、を有する。よって、板状部材４は、筒状を形成できる。板状部材４は、表面Ｒを有する。表面Ｒは、複数種類の電柱のうち何れかの表面と同じ色調に着色されている。具体的には、表面Ｒは、灰色に着色されている。板状部材４は、板状部材４の円周方向Ｊにおける一端部側と他端部側とが互いに重なる一端部側の重複部４１及び他端部側の重複部４２を有する。
【０１０８】
板状部材４は、複数の表示部を備える。具体的には、板状部材４は、表示部４３ａ、表示部４３ｂ、表示部４３ｃ、及び表示部４３ｄを備える。複数の表示部は、板状部材４の表面Ｒにおいて複数種類の電柱の各々が有する露出部の円周と同一長さを他端部側の側辺４５から示す複数の位置に少なくとも２つの点を有する。具体的には、表示部４３ａは、板状部材４の表面Ｒにおいて電柱９Ａが有する露出部９２ａの円周と同一の長さ寸法Ｋ１を他端部側の側辺４５から示す位置に点４６ａ及び点４７ａを有する。表示部４３ｂは、板状部材４の表面Ｒにおいて電柱９Ｂが有する露出部９２ｂの円周と同一の長さ寸法Ｋ２を他端部側の側辺４５から示す位置に点４６ｂ及び点４７ｂを有する。表示部４３ｃは、板状部材４の表面Ｒにおいて電柱９Ｃが有する露出部９２ｃの円周と同一の長さ寸法Ｋ３を他端部側の側辺４５から示す位置に点４６ｃ及び点４７ｃを有する。表示部４３ｄは、板状部材４の表面Ｒにおいて電柱９Ｄが有する露出部９２ｄの円周と同一の長さ寸法Ｋ４を他端部側の側辺４５から示す位置に点４６ｄ及び点４７ｄを有する。ただし、第２の実施形態では、第１の実施形態と同様に、電柱が円柱状に形成されているものとして、説明する。
【０１０９】
複数の表示部は、複数種類の電柱のうち何れかの電柱に対応していることを示す複数の標識部を有する。具体的には、表示部４３ａは、電柱９Ａに対応していることを示す標識部４０ａを有する。標識部４０ａの表面には、電柱９Ａの型を示す「型：ＣＡ８」と電柱９Ａの地際径を示す「地際径：２７．８ｃｍ」とが表記されている。表示部４３ｂは、電柱９Ｂに対応していることを示す標識部４０ｂを有する。標識部４０ｂの表面には、電柱９Ｂの型を示す「型：ＣＡ１０」と電柱９Ｂの地際径を示す「地際径：３０．１ｃｍ」とが表記されている。表示部４３ｃは、電柱９Ｃに対応していることを示す標識部４０ｃを有する。標識部４０ｃの表面には、電柱９Ｃの型を示す「型：ＣＢ１２」と電柱９Ｃの地際径を示す「地際径：３２．３ｃｍ」とが表記されている。表示部４３ｄは、電柱９Ｄに対応していることを示す標識部４０ｄを有する。標識部４０ｄの表面には、電柱９Ｄの型を示す「型：ＣＢ１４」と電柱９Ｄの地際径を示す「地際径：３４．５ｃｍ」とが表記されている。
【０１１０】
一端部側の重複部は、板状部材４の表面Ｒのうち、板状部材４の円周方向Ｊの平行な２つの側辺４８と一端部側の側辺４４と複数の表示部の各々が有する少なくとも２つの点を通る直線とで囲まれて形成された複数の部分のうち何れかの部分を有する。具体的には、一端部側の重複部４１は、板状部材４の表面Ｒのうち、板状部材４の円周方向Ｊの平行な２つの側辺４８と一端部側の側辺４４と表示部４３ａが有する点４６ａ及び点４７ａを通る直線Ｕ１とで囲まれて形成された部分ｒ１を有する場合がある。一端部側の重複部４１は、板状部材４の表面Ｒのうち、板状部材４の円周方向Ｊの平行な２つの側辺４８と一端部側の側辺４４と表示部４３ｂが有する点４６ｂ及び点４７ｂを通る直線Ｕ２とで囲まれて形成された部分ｒ２を有する場合がある。一端部側の重複部４１は、板状部材４の表面Ｒのうち、板状部材４の円周方向Ｊの平行な２つの側辺４８と一端部側の側辺４４と表示部４３ｃが有する点４６ｃ及び点４７ｃを通る直線Ｕ３とで囲まれて形成された部分ｒ３を有する場合がある。一端部側の重複部４１は、板状部材４の表面Ｒのうち、板状部材４の円周方向Ｊの平行な２つの側辺４８と一端部側の側辺４４と表示部４３ｄが有する点４６ｄ及び点４７ｄを通る直線Ｕ４とで囲まれて形成された部分ｒ４を有する場合がある。
【０１１１】
板状部材４は、複数の固定部を備える。具体的には、板状部材４は、固定部４９、２つの固定部４９ａ、２つの固定部４９ｂ、２つの固定部４９ｃ、及び２つの固定部４９ｄを備える。固定部４９は、磁石からなるものである。２つの固定部４９ａ、２つの固定部４９ｂ、２つの固定部４９ｃ、及び２つの固定部４９ｄは、鉄からなるものである。固定部４９、２つの固定部４９ａ、２つの固定部４９ｂ、２つの固定部４９ｃ、及び２つの固定部４９ｄの各々は、板状部材４の内部に設けられている。固定部４９は、板状部材４の内部であって、他端部側の両隅に設けられている。２つの固定部４９ａの各々は、板状部材４の内部に設けられている。２つの固定部４９ａのうち一方は、上側の側辺４８と直線Ｕ１とが交わる一端部側の近傍であって、直線Ｕ１に沿って設けられている。他方は、下側の側辺４８と直線Ｕ１とが交わる一端部側の近傍であって、直線Ｕ１に沿って設けられている。２つの固定部４９ｂのうち一方は、上側の側辺４８と直線Ｕ２とが交わる一端部側の近傍であって、直線Ｕ２に沿って設けられている。他方は、下側の側辺４８と直線Ｕ２とが交わる一端部側の近傍であって、直線Ｕ２に沿って設けられている。２つの固定部４９ｃのうち一方は、上側の側辺４８と直線Ｕ３とが交わる一端部側の近傍であって、直線Ｕ３に沿って設けられている。他方は、下側の側辺４８と直線Ｕ３とが交わる一端部側の近傍であって、直線Ｕ３に沿って設けられている。２つの固定部４９ｄのうち一方は、上側の側辺４８と直線Ｕ４とが交わる一端部側の近傍であって、直線Ｕ４に沿って設けられている。他方は、下側の側辺４８と直線Ｕ４とが交わる一端部側の近傍であって、直線Ｕ４に沿って設けられている。
【０１１２】
複数の固定部は、複数の表示部の各々が有する少なくとも２つの点に沿って他端部側の側辺４５を板状部材４の表面Ｒに固定する。具体的には、固定部４９及び２つの固定部４９ａは、一端部側の重複部４１及び他端部側の重複部４２を重ねて電柱９Ａが有する露出部９２ａの外径寸法と同一の外径寸法を有する筒が形成されるように、表示部４３ａが有する点４６ａ及び点４７ａに沿って他端部側の側辺４５を板状部材４の表面Ｒに固定する。固定部４９及び２つの固定部４９ｂは、一端部側の重複部４１及び他端部側の重複部４２を重ねて電柱９Ｂが有する露出部９２ｂの外径寸法と同一の外径寸法を有する筒が形成されるように、表示部４３ｂが有する点４６ｂ及び点４７ｂに沿って他端部側の側辺４５を板状部材４の表面Ｒに固定する。固定部４９及び２つの固定部４９ｃは、一端部側の重複部４１及び他端部側の重複部４２を重ねて電柱９Ｃが有する露出部９２ｃの外径寸法と同一の外径寸法を有する筒が形成されるように、表示部４３ｃが有する点４６ｃ及び点４７ｃに沿って他端部側の側辺４５を板状部材４の表面Ｒに固定する。固定部４９及び２つの固定部４９ｄは、一端部側の重複部４１及び他端部側の重複部４２を重ねて電柱９Ｄが有する露出部９２ｄの外径寸法と同一の外径寸法を有する筒が形成されるように、表示部４３ｄが有する点４６ｄ及び点４７ｄに沿って他端部側の側辺４５を板状部材４の表面Ｒに固定する。
【０１１３】
ここで、固定部により、複数の表示部の各々が有する少なくとも２つの点に沿って他端部側の側辺４５を板状部材４の表面Ｒに固定されると、重複部４１及び重複部４２が重なるため、厳密に言えば、電柱が有する露出部の外径寸法と同一の外径寸法を有する筒が形成されるとは言えない。しかし、板状部材４は、重複部４１及び重複部４２が重なった場合の厚みは、１ｃｍに満たないので、電柱が有する露出部の外径寸法と同一の外径寸法を有する筒が形成されているように視認される。そこで、第２の実施形態では、固定部により、複数の表示部の各々が有する少なくとも２つの点に沿って他端部側の側辺４５を板状部材４の表面Ｒに固定されることにより、電柱が有する露出部の外径寸法と同一の外径寸法を有する筒が形成されるものとみなす。そこで、一端部側の重複部４１及び他端部側の重複部４２を重ねて複数種類の電柱の各々が有する露出部の外径寸法の何れかと同一の外径寸法を有する筒が形成されるように固定した状態の例について、後述の図１３の（ａ）及び図１３の（ｂ）を参照して説明する。
【０１１４】
図１３の（ａ）及び図１３の（ｂ）は、電柱施設用器具１’’’の使用状態の一例を示す図である。
【０１１５】
図１３の（ａ）には、一端部側の重複部４１及び他端部側の重複部４２を重ねて電柱９Ｄが有する露出部９２ｄの外径寸法と同一の外径寸法を有する筒が形成されるように、固定部４９及び固定部４９ｄにより、表示部４３ｄが有する点４６ｄ及び点４７ｄに沿って他端部側の側辺４５が板状部材４の表面Ｒに固定された状態が示されている。
【０１１６】
図１３の（ｂ）には、一端部側の重複部４１及び他端部側の重複部４２を重ねて電柱９Ａが有する露出部９２ａの外径寸法と同一の外径寸法を有する筒が形成されるように、固定部４９及び固定部４９ａにより、表示部４３ａが有する点４６ａ及び点４７ａに沿って他端部側の側辺４５が板状部材４の表面Ｒに固定された状態が示されている。
【０１１７】
したがって、施設しようとする電柱の露出部の外径寸法と一致するように板状部材４が筒状に形成されて所定の土地ｇに配置されることにより、所定の土地ｇの地権者Ｙは、施設しようとする電柱が所定の土地ｇに施設された状態をイメージし易くなる。したがって、電柱施設用器具１’’’によれば、所定の土地ｇに電柱が施設された状態のイメージと所定の土地ｇに電柱が施設された状態の現実との食い違いが生じる頻度を少なくすることができる。
【０１１８】
以上、第３の実施形態について説明したが、これに限られるものではない。
【０１１９】
第３の実施形態では、電柱施設用器具１’’’は、ダミー電柱台３を有することが望ましい。電柱施設用器具１’’’は、一対の表示部２７ａ、一対の表示部２７ｂ、一対の表示部２７ｃ、及び一対の表示部２７ｄに対応する複数の表示部を有することが望ましい。
【０１２０】
第３の実施形態では、固定部として、磁石からなる固定部４９と、鉄からなる２つの固定部４９ａ、２つの固定部４９ｂ、２つの固定部４９ｃ、及び２つの固定部４９ｄとを採用したが、これに限られるものではない。鉄からなる固定部４９と、磁石からなる２つの固定部４９ａ、２つの固定部４９ｂ、２つの固定部４９ｃ、及び２つの固定部４９ｄとを採用してもよい。また、固定部として、衣服などに用いる着脱自在の布製のテープを採用してもよい。具体的には、固定部４９及び２つの固定部４９ａ、２つの固定部４９ｂ、２つの固定部４９ｃ、及び２つの固定部４９ｄを、互いにかみ合わせることのできるフック状のテープ及びパイル状のテープで構成する。
【０１２１】
＜第４の実施形態＞
図１４の（ａ）は、電柱施設用器具１’’’’を示す斜視図である。図１４の（ｂ）は、電柱施設用器具１’’’’の使用方法を説明するための図である。
【０１２２】
図１４の（ａ）に示すように、電柱施設用器具１’’’’は、ダミー電柱５を備える。具体的には、ダミー電柱５は、楕円体である。ダミー電柱５は、表面Ｖを有する。表面Ｖは、複数種類の電柱のうち何れかの表面と同じ色調に着色されている。具体的には、表面Ｖは、灰色に着色されている。ダミー電柱５は、下部５７を有する。即ち、下部５７は、楕円状に形成された下面５８を有する。ダミー電柱５は、回転軸部５９を有する。回転軸部５９は、ダミー電柱５を回転可能に支持する。回転軸部５９は、下部５７を支持しかつ地上と接する。回転軸部５９は、回転軸部５９の軸が下面５８の長軸と短軸とが交差する点Ｑ５上に位置するように設けられる。ダミー電柱５は、紐部５５を有する。紐部５５は、紐部５５の一端が下部５７に設けられる。紐部５５は、点Ｑ５の位置の近傍に設けられる。紐部５５は、把手部５６を有する。把手部５６は、紐部５５の他端に設けられている。
【０１２３】
ダミー電柱５は、複数の一対の表示部を有する。複数の一対の表示部は、複数種類の電柱に対応して設けられる。一対の表示部は、点Ｑ５を通る直線が下面５８の縁と交わる点を示す。具体的には、ダミー電柱５は、一対の表示部５１、一対の表示部５２、一対の表示部５３、及び一対の表示部５４を有する。一対の表示部５１は、電柱９Ａに対応して設けられる。一対の表示部５１は、点Ｑ５を通る直線が下面５８の縁と交わる点を示す。一対の表示部５２は、電柱９Ｂに対応して設けられる。一対の表示部５２は、点Ｑ５を通る直線が下面５８の縁と交わる点を示す。一対の表示部５３は、電柱９Ｃに対応して設けられる。一対の表示部５３は、点Ｑ５を通る直線が下面５８の縁と交わる点を示す。一対の表示部５４は、電柱９Ｄに対応して設けられる。一対の表示部５４は、点Ｑ５を通る直線が下面５８の縁と交わる点を示す。ただし、第４の実施形態では、第１の実施形態と同様に、電柱が円柱状に形成されているものとして、説明する。
【０１２４】
ここで、図１４の（ｂ）を参照して、電柱施設用器具１’’’’の使用方法について説明する。
【０１２５】
まず、交渉人Ｘは、電柱を施設しようとする所定の土地ｇにダミー電柱５を設置する。これにより、ダミー電柱５は、回転可能に設置される。次に、地権者Ｙは、把手部５６を握る。そして、地権者Ｙは、紐部５５が弛まない位置となる場所に移動する。このとき、紐部５５は、地権者Ｙと点Ｑ５とを通る直線上にある。続いて、交渉人Ｘは、施設しようとする電柱に対応する表示部が紐部５５に合うようにダミー電柱５を回転させる。
【０１２６】
具体的には、施設しようとする電柱が電柱９Ａである場合には、電柱９Ａに対応する表示部５１が紐部５５に合うようにダミー電柱５を回転させる。このようにすることで、ダミー電柱５が視認される幅寸法と電柱９Ａの外径寸法Ｗ１とが一致するので、地権者Ｙは、所定の土地ｇに実際に電柱９Ａが施設されているかのように配置されたダミー電柱５を視認できる。
【０１２７】
施設しようとする電柱が電柱９Ｂである場合には、電柱９Ｂに対応する表示部５２が紐部５５に合うようにダミー電柱５を回転させる。このようにすることで、ダミー電柱５が視認される幅寸法と電柱９Ｂの外径寸法Ｗ２とが一致するので、地権者Ｙは、所定の土地ｇに実際に電柱９Ｂが施設されているかのように配置されたダミー電柱５を視認できる。
【０１２８】
施設しようとする電柱が電柱９Ｃである場合には、電柱９Ｃに対応する表示部５３が紐部５５に合うようにダミー電柱５を回転させる。このようにすることで、ダミー電柱５が視認される幅寸法と電柱９Ｃの外径寸法Ｗ３とが一致するので、地権者Ｙは、所定の土地ｇに実際に電柱９Ｃが施設されているかのように配置されたダミー電柱５を視認できる。
【０１２９】
施設しようとする電柱が電柱９Ｄである場合には、電柱９Ｄに対応する表示部５４が紐部５５に合うようにダミー電柱５を回転させる。このようにすることで、ダミー電柱５が視認される幅寸法と電柱９Ｄの外径寸法Ｗ４とが一致するので、地権者Ｙは、所定の土地ｇに実際に電柱９Ｄが施設されているかのように配置されたダミー電柱５を視認できる。
【０１３０】
即ち、表示部５１、表示部５２、表示部５３、及び表示部５４は、電柱９Ａ、電柱９Ｂ、電柱９Ｃ、及び電柱９Ｄに対応して設けられているので、電柱に対応する表示部が紐部５５に合うようにダミー電柱５を回転させることで、地権者Ｙは、所定の土地ｇに実際に電柱９Ａ、電柱９Ｂ、電柱９Ｃ、又は電柱９Ｄが施設されているかのように配置されたダミー電柱５を視認できる。
【０１３１】
このように、地権者Ｙは、所定の土地ｇに実際に電柱が施設されているかのように配置されたダミー電柱５を視認できるので、電柱が所定の土地ｇに施設された状態を容易にイメージすることができる。即ち、電柱施設用器具１’’’’によれば、所定の土地ｇに電柱が施設された状態のイメージと所定の土地ｇに電柱が施設された状態の現実との食い違いが生じる頻度を少なくすることができる。
【０１３２】
以上、第４の実施形態について説明したが、これに限られるものではない。
【０１３３】
第４の実施形態では、ダミー電柱５は、複数の一対の表示部を有する構成を採用したが、これに限られるものではない。例えば、ダミー電柱５は、一対の表示部の片方の表示部を有する構成を採用してもよい。即ち、ダミー電柱５は、楕円体であることから、１種類の電柱に対応して設けることができる表示部は、４つあるので、ダミー電柱５は、１つ、２つ、３つ、又は４つの表示部を有する構成を採用することができる。
【図面の簡単な説明】
【０１３４】
【図１】第１の実施形態に係る電柱施設用器具を示す斜視図である。
【図２】第１の実施形態に係る電柱施設用器具の使用方法を説明するための図である。
【図３】第１の実施形態に係るダミー電柱の収納部を示す斜視図である。
【図４】第１の実施形態に係るダミー電柱を収納した状態を示す断面図である。
【図５】第１の実施形態に係る電柱施設用器具１の使用状態の一例を示す図（ａ）及び拡大断面図（ｂ）である。
【図６】第１の実施形態に係る別の態様の電柱施設用器具を示す斜視図である。
【図７】第１の実施形態に係る別の態様の電柱施設用器具の使用状態の一例を示す図である。
【図８】第１の実施形態に係る別の態様の電柱施設用器具の使用状態の一例を示す図である。
【図９】第２の実施形態に係る電柱施設用器具を示す斜視図である。
【図１０】第２の実施形態に係る電柱施設用器具の使用状態の一例を示す図（ａ）及び拡大断面図（ｂ）である。
【図１１】第２の実施形態に係る電柱施設用器具の使用状態の一例を示す図である。
【図１２】第３の実施形態に係る電柱施設用器具を示す斜視図である。
【図１３】第３の実施形態に係る電柱施設用器具の使用状態の一例を示す図（ａ）及び（ｂ）である。
【図１４】第４の実施形態に係る電柱施設用器具を示す斜視図である。
【図１５】従来における電柱の施設での交渉の場面を示す図である。
【符号の説明】
【０１３５】
１、１’、１’’、１’’’、１’’’’  電柱施設用器具
２Ａ、２Ｂ、２Ｃ、２Ｄ、２Ａ’、２Ｂ’、２Ｃ’、２Ｄ’、５  ダミー電柱
３  ダミー電柱台
４  板状部材
９Ａ、９Ｂ、９Ｃ、９Ｄ、  電柱
９２ａ、９２ｂ、９２ｃ、９２ｄ  露出部
【図１】
2008042978.tif 000003
【図２】
2008042978.tif 000004
【図３】
2008042978.tif 000005
【図４】
2008042978.tif 000006
【図５】
2008042978.tif 000007
【図６】
2008042978.tif 000008
【図７】
2008042978.tif 000009
【図８】
2008042978.tif 000010
【図９】
2008042978.tif 000011
【図１０】
2008042978.tif 000012
【図１１】
2008042978.tif 000013
【図１２】
2008042978.tif 000014
【図１３】
2008042978.tif 000015
【図１４】
2008042978.tif 000016
【図１５】
2008042978.tif 000017